(57)【要約】【課題】簡単な構成で収容棚が上昇中に前板との間で手挟みが生じた際に前板と収容棚との間の隙間を広げて逃がすようにした昇降式収容棚を提供する。【解決手段】前面１４ｄが開口した収容棚１４と、収容棚を所定の上限位置と下限位置との間で昇降させる昇降機構３１と、収容棚とは独立して支持され、収容棚の上限位置で当該収容棚の前面１４ｄを覆う前板１２とを有し、前板には収容棚の下方からの上昇に際して当該収容棚の前面との間で手挟みが生じたときに当該収容棚の前面との間の隙間を広げる方向に前板１２を逃がす逃し手段５５が設けられている構成とし、収容棚の下限位置からの下方からの上昇に際して収容棚に片方の手を掛けたまま誤って他方の手で上昇スイッチ４９を押して片方の手が前板と収容棚との間に挟まれたとき、逃し手段により前板を収容棚の前面との間の隙間を広げる方向に逃がす。【選択図】図４
2008228917.tif 000002
【特許請求の範囲】
【請求項１】
前面が開口した収容棚と、
前記収容棚を所定の上限位置と下限位置との間で昇降させる昇降機構と、
前記収容棚とは独立して支持され、前記収容棚の上限位置で当該収容棚の前面を覆う前板とを有し、
前記前板には、前記収容棚の下方からの上昇に際して当該収容棚の前面との間で手挟みが生じたときに当該収容棚の前面との間の隙間を広げる方向に前記前板を逃がす逃し手段が設けられていることを特徴とする昇降式収容棚。
【請求項２】
前記逃し手段はヒンジであって、前記前板の上部裏面と前記収容棚の背面の壁から突出し前記前板を支持する支持体とを連結していることを特徴とする、請求項１に記載の昇降式収容棚。
【請求項３】
前記ヒンジの回転中心が前記収容棚の前面よりも後方に位置して配置されていることを特徴とする、請求項２に記載の昇降式収容棚。
【請求項４】
前記前板と前記支持体との間には前記手挟みが生じたときに前記逃し手段によって前記収容棚と前記前板との間を広げることが可能な程度の保持力で前記前板を閉じる前板閉じ手段が備わっていることを特徴とする、請求項１又は請求項２に記載の昇降式収容棚。
【発明の詳細な説明】
【技術分野】
【０００１】
本発明は、トイレや台所、玄関等に設置されて収納物を収容する昇降式収容棚に関する。
【背景技術】
【０００２】
システムキッチン等に適用されている電動式の収容棚として、室内の壁の上部に取付た外箱に電動式昇降機構により上下動する収容棚を設け、外箱に収容棚の昇降に伴い開閉する目隠し用の前板を設けた構造のものが従来から知られている。また、昇降式の収容棚として、室内の壁の上部に取付られた外箱に電動式昇降機構によって上下動するキャビネットを設け、外箱にキャビネットの上下動に伴って開閉する扉を設け、扉は上方部をヒンジにより外箱に枢支されると共に移動規制部材によってキャビネットの最大上昇時に略全閉とする設定とされ、電動式昇降機構の電源断の状態でも扉を手動により僅少幅で開くことが可能であり、かつ扉を開いた状態における開口部の隙間から取り外し可能として、停電等によりキャビネットが下降できないような非常時においても、扉を開いて食器等を取り出すことができるようにした扉付き昇降キャビネットが知られている（例えば、特許文献１参照）。
【特許文献１】特開２００５−２１２９７号公報（図１、３頁―５頁）
【発明の開示】
【発明が解決しようとする課題】
【０００３】
しかしながら、従来の電動式の収容棚は、収容棚が上昇する際に収納物を前板と収容棚との間に挟んだときに収納物を破損したり、駆動用のモータに負担をかけるおそれがある。特に上昇時は一度操作スイッチを押すと自動的に収容棚が上昇する仕組みになっているため、収容棚に片方の手を掛けたまま誤って他方の手で上昇スイッチを押して片方の手が前板と収容棚との間に挟まれるいわゆる手挟みが生じるおそれがある。また、収容棚の上昇中に棚から目を離す可能性が高く、前板と収容棚との間に収納物を挟むおそれが高い。
【０００４】
特にトイレ等の狭い場所に電動式の収容棚を設置する場合、多くの場合、便器後方の壁に設置されるために便器の手前から身を乗り出すような姿勢で収容棚にトイレットペーパ等を収容するようになる。このため、収容棚に手を掛けた状態で収納を行う場合が多く、前板と収容棚との間に手や指を挟み易い状況にある。
【０００５】
ここで、前板と収容棚との間に収納物や手等が挟まれた際にこれを電気的に検知するような構成にすると、部品点数が増加してコストの上昇を招くこととなる。また、特許文献１に開示されている扉付き昇降キャビネットのようにキャビネットの昇降動作に連動して扉が開閉する構造にした場合も部品点数が増加してコスト高となる。
【０００６】
本発明の目的は、簡単な構成で収容棚が上昇中に前板との間で手挟みが生じた際に前板と収容棚との間の隙間を広げて逃がすようにした昇降式収容棚を提供することにある。
【課題を解決するための手段】
【０００７】
上述した課題を解決するために、本発明に係る昇降式収容棚は、
前面が開口した収容棚と、
前記収容棚を所定の上限位置と下限位置との間で昇降させる昇降機構と、
前記収容棚とは独立して支持され、前記収容棚の上限位置で当該収容棚の前面を覆う前板とを有し、
前記前板には、前記収容棚の下方からの上昇に際して当該収容棚の前面との間で手挟みが生じたときに当該収容棚の前面との間の隙間を広げる方向に前記前板を逃がす逃し手段が設けられていることを特徴としている。
【０００８】
通常の状態において収容棚は昇降機構により上限位置に上昇されており、開口部が前板により覆われて目隠しされている。そして、収容棚内に収容されている必要な物を取り出す場合或いは収容する場合、使用者が昇降機構の下降スイッチを操作すると、収容棚が下限位置まで下降して停止する。収容棚は、この下限位置において開口部の上端が前板の下端近傍に位置して開口する。そして、使用者が収容棚から必要な物を取り出し、或いは収容する。
【０００９】
使用者が収容棚を元の位置に戻すべく昇降機構の上昇スイッチを操作すると収容棚が上昇する。昇降機構は、上昇スイッチを押すと自動的に収容棚が上昇する仕組みになっているため、収容棚の下方からの上昇に際して収容棚に片方の手を掛けたまま誤って他方の手で上昇スイッチを押して片方の手が前板と収容棚との間に挟まれたとき、逃し手段により前板を収容棚の前面との間の隙間を広げる方向に逃がす。これにより、使用者は、挟まれた手や指先等を容易に引き抜くことができる。収容棚が途中まで下がった状態から上昇して手挟みが生じた場合についても同様である。
【００１０】
特にトイレ等の狭い場所においては多くの場合、便器後方の壁に設置されるために便器の手前から身を乗り出すような姿勢で収容棚にトイレットペーパ等を収容するようになり、収容棚に手を掛けた状態で収納を行う場合があり、前板と収容棚との間に手や指を挟み易い状況にある。従って、このような環境においては極めて有効である。
【００１１】
また、本発明の請求項２に記載の昇降式収容棚は、請求項１に記載の昇降式収容棚において、
前記逃し手段はヒンジであって、前記前板の上部裏面と前記収容棚の背面の壁から突出し前記前板を支持する支持体とを連結していることを特徴としている。
【００１２】
前板の逃し手段としてヒンジを使用することによって極めて簡単な構成で前板と収容棚との間の手挟みを有効に防止することが可能となる。
【００１３】
また、本発明の請求項３に記載の昇降式収容棚は、請求項２に記載の昇降式収容棚において、
前記ヒンジの回転中心が前記収容棚の前面よりも後方に位置して配置されていることを特徴としている。
【００１４】
ヒンジの回転中心を収容棚の前面よりも後方に位置して配置することにより、前板の下端と収容棚との間に手挟みが生じたときに前板が手前側に逃げやすくなり、使用者が容易に手や指先を引き抜くことが可能となる。
【００１５】
また、本発明の請求項４に記載の昇降式収容棚は、請求項１又は請求項２に記載の昇降式収容棚において、
前記前板と前記支持体との間には前記手挟みが生じたときに前記逃し手段によって前記収容棚と前記前板との間を広げることが可能な程度の保持力で前記前板を閉じる前板閉じ手段が備わっていることを特徴としている。
【００１６】
前板は、前板閉じ手段により揺動が抑えられて常時収容棚を覆う位置に保持されている。この保持力は、前板と収容棚との間で手挟みが生じたときに収容棚と前板との間を広げることが可能な程度とされている。これにより、手挟みが生じたときに前板を手前側に逃げさせて収容棚と前板との間を広げ、使用者が容易に手挟みを解消することが可能となる。
【発明の効果】
【００１７】
本発明によると、収容棚が上昇する際に前板との間に手挟みが生じた場合或いは収容物等が挟まれたときに前板が手前方向に開いて逃げることにより、使用者が手挟みを生じたときに手を容易に抜くことができると共に、収容物を破損することを防止することが可能となる。
【００１８】
また、極めて簡単な構成で収容棚が上昇中に前板との間で手挟みが生じた際に前板と収容棚との間の隙間を広げて逃がすことが可能となり、部品点数が少なく、安価に提供することができる。
【００１９】
具体的には、通常の状態において収容棚は昇降機構により上限位置に上昇されており、開口部が前板により覆われて目隠しされている。そして、収容棚内に収容されている必要な物を取り出す場合或いは収容する場合、使用者が昇降機構の下降スイッチを操作すると、収容棚が下限位置まで下降して停止する。収容棚は、この下限位置において開口部の上端が前板の下端近傍に位置して開口する。そして、使用者が収容棚から必要な物を取り出し、或いは収容する。
【００２０】
使用者が収容棚を元の位置に戻すべく昇降機構の上昇スイッチを操作すると収容棚が上昇する。昇降機構は、上昇スイッチを押すと自動的に収容棚が上昇する仕組みになっているため、収容棚の下方からの上昇に際して収容棚に片方の手を掛けたまま誤って他方の手で上昇スイッチを押して片方の手が前板と収容棚との間に挟まれたとき、逃し手段により前板を収容棚の前面との間の隙間を広げる方向に逃がす。これにより、使用者は、挟まれた手や指先等を容易に引き抜くことができる。
【００２１】
特にトイレ等の狭い場所においては多くの場合、便器後方の壁に設置されるために便器の手前から身を乗り出すような姿勢で収容棚にトイレットペーパ等を収容するようになり、収容棚に手を掛けた状態で収納を行う場合があり、前板と収容棚との間に手や指を挟み易い状況にある。従って、このような環境においては極めて有効である。
【発明を実施するための最良の形態】
【００２２】
以下、本発明の一実施形態に係る昇降式収容棚について図面に基づいて説明する。図１及び図２に示すようにトイレ１の後壁２側の中央位置に便器５が設置されており、一側の側壁３に照明灯６、局所洗浄便座の操作部７、トイレットペーパ８、手洗い器９等が配置されている。尚、トイレ１は、使用者が便器５に着座した状態で背中側の壁を後壁２とし、前側の壁を前壁４と称することとする。後壁２の上部位置には昇降式収容棚１１が設置されている。この収容棚１１の前板１２は、後壁２から前方に突出して設けられた左右両側の支持体１３により支持されている。収容棚１４は、左右の支持体１３の間に昇降可能に配置されており、図示の上限位置において前面１４ｄに開口する開口部が前板１２により覆われて目隠しされている。
【００２３】
支持体１３は、図３及び図４に示すように上梁１５、下梁１６及び側板１７、前板１８からなる。これらの上梁１５、下梁１６は、角パイプ状をなし上下に所定間隔を存して平行にかつ後壁２と直角をなして前方に張り出し、各後端部がそれぞれ裏板１９と共に後壁２の上部に固定されている。そして、上梁１５、下梁１６の両側部に側板１７が固定され、前端部に前板１８が固定されている。即ち、支持体１３は、盤体をなす片持梁状をなしている。尚、図３は、分かり易くするために前板１２及び収容棚１４を透視して描いてある。
【００２４】
裏板１９には上端部及び略中央位置に横方向にフレーム２１，２２が平行に固定されており、これらのフレーム２１，２２の所定位置にスライドレール２３、ガイド２５，２５，支持フレーム２６が上下方向に垂直に配置されて固定されている。収容棚１４の上板１４ａの上面中央位置に支持部材２７の下端部が固定されており、この支持部材２７はスライダ２４に固定されている。スライダ２４は、スライドレール２３に沿って上下方向に垂直に移動可能とされている。また、収容棚１４の裏板１４ｃの裏面中央位置にガイド板２８が固定されており、両側部がガイド２５，２５により上下方向に摺動可能にガイドされている。これにより、収容棚１４は、スライドレール２３及びガイド２５に沿って左右に揺れることなく昇降可能とされている。
【００２５】
昇降機構３１は、フレーム２１の一側端部に固定された駆動用のギヤードモータ３２と、支持フレーム２６の上下両端部に回転軸が水平にかつ回転自在に軸支された歯付プーリ３３，３４及びこれらの歯付プーリ３３，３４に掛けられた歯付ベルト（タイミングベルト）３５等により構成されている。ギヤードモータ３２の出力軸は、上側の歯付プーリ３３の回転軸に連結されている。また、図３に示す収容棚１４の上板１４ａの後端部が歯付ベルト３５に固定されている。そして、ギヤードモータ３２の回転に伴い上側の歯付プーリ３３が回転し、これに伴い歯付ベルト３５が上下方向に移動して収容棚１４が昇降する。
【００２６】
裏板１９の上端部中央位置と収容棚１４の上板１４ａとの間には定荷重ばね機構４１が設けられている。定荷重ばね機構４１は、裏板１９の上端中央位置に設けられたブラケット４２に回転軸が水平にかつ回転自在に軸支されたドラム４３と、一端がドラム４３に固定されて当該ドラム４３に巻回され、他端が収容棚１４の上板１４ａの上面中央後端部に固定された定荷重ばね、例えばコンストンバネ４４とにより構成されている。この定荷重ばね機構４１は、元に戻るトルク（ドラム４３に巻き戻るトルク）が一定で、ストロークによって変化しない特徴を有するスプリングで、収容棚１４の昇降のフリーストップを可能としている。これにより、ギヤードモータ３２の出力を小さくすることが可能となり、小型・軽量化が図られる。
【００２７】
スライダ２４の側部上端にはドグ４５が取り付けられており、支持フレーム２６の上下両端所定位置にドグ４５と接触可能に位置検出器、例えばリミットスイッチ４６，４７が取り付けられている。リミットスイッチ４６は、収容棚１４の上限位置を検出し、リミットスイッチ４７は、収容棚１４の下限位置を検出する。また、ガイド板２８の下端部２８ａは、収容棚１４の下板１４ｂの下面１４ｅから下方に延出しており、操作部４８が取り付けられている。この操作部４８には収容棚１４を昇降させるための上昇スイッチ４９、下降させるための下降スイッチ５０、及び電源スイッチ５１等が設けられている。これらの上昇スイッチ４９、下降スイッチ５０及び電源スイッチ５１等は前方に向けて、即ち使用者と向かい合うように配置されている。
【００２８】
また、裏板１９の上部所定位置にコントローラ５３が配設されている。コントローラ５３は、リミットスイッチ４６，４７及び操作部４８の上昇スイッチ４９、下降スイッチ５０、電源スイッチ５１からの信号を入力してギヤードモータ３２を制御する。
【００２９】
一方、前板１２の裏面の左右両側と左右の支持体１３の上部との間には、図３及び図４に示すように、逃し手段５５が設けられている。逃し手段５５は、収容棚１４の下方からの上昇に際してこの収容棚１４の前面１４ｄとの間で手挟みが生じたときにこの収容棚１４の前面１４ｄとの間の隙間を広げる方向に前板１２を逃がすためのもので、例えばヒンジ５６で構成されている。ヒンジ５６は、支持体１３の上梁１５の上部にその回転軸（回転中心）５６ａが前板１８の前面、即ち収容棚１４の前面１４ｄから所定距離ｄだけ後方に位置しかつ回転軸５６ａが上梁１５の上面から僅かに上方に位置して配置されている。
【００３０】
ヒンジ５６の一側の取付部５６ｂは、ブラケット５７により上梁１５に対して垂直をなして固定されており、他側の取付部５６ｃは、前側に水平に延出してブラケット５８により前板１２の裏面に固定されている。そして、前板１２は、支持体１３の前板１８と僅かな隙間を存して平行に自重により垂下している。ヒンジ５６は、回転軸５６ａ即ち回転中心が収容棚１４の前面１４ｄよりも後方に位置して配置されていることにより、収容棚１４の下方からの上昇に際してこの収容棚１４の前面１４ｄとの間で手挟みが生じたときにこの収容棚１４の前面１４ｄとの間の隙間を広げる方向に前板１２を逃がすことが可能となる。
【００３１】
前板１２は、上端部１２ａが略ギヤードモータ３２の取付高さに位置し、下端部１２ｂが収容棚１４を上限位置まで上昇させたときに当該収容棚１４の下面よりも僅かに下方に位置する程度とされている。これにより、前板１２は、収容棚を目隠しすると共に図４に２点鎖線で示すように図中反時計方向、即ち使用者の手前側に略水平位置まで回動可能とされている。
【００３２】
前板１２の下端部１２ｂは、図４に示すように角型形状をなしていても良く、或いは図５（ａ）〜図５（ｄ）に示すように下端部１２ｂの裏面１２ｃ側の縁部を１２ｄ〜１２ｇのように面取りしても良い。これにより、手挟みしたときに使用者の手を有効に保護することが可能となる。この場合、ヒンジ５６の回転軸５６ａが収容棚１４の前面１４ｄよりも後方に位置していなくても前板１２が多少逃げ易くなり、手挟みをある程度防止する効果がある。
【００３３】
また、前板１２の裏面左右両側と左右の支持体１３の前板１８の下部との間に前板閉じ手段６１が設けられている。前板閉じ手段６１は、例えば図４に示すようにマグネット６２とマグネットキャッチ６３とにより構成されている。マグネットキャッチ６３は、支持体１３の前板１８の下梁１６の開口位置に設けられており、マグネット６２は、前板１２の裏面１２ｃにマグネットキャッチと対向して固定されている。そして、前板１２は、マグネット６２とマグネットキャッチ６３との吸着力（保持力）により保持されて揺動することが防止されている。
【００３４】
前板閉じ手段６１は、通常ではマグネット６２がマグネットキャッチ６３に吸着して前板１２を閉じた状態に保持しており、収容棚１４を上昇させる際に前板１２と収容棚１４との間に手挟みが生じたときに逃し手段５５によって収容棚１４と前板１２との間を広げることが可能な程度の保持力（磁気力）で前板１２を閉じるように設定されている。
【００３５】
以下に作用を説明する。図１及び図２に示すように昇降式収容棚１１は、収容棚１４が上限位置にあるときには前板１２により収容棚１４の前面１４ｄが覆われて目隠しされている。前板１２の下端部は収容棚１４の下面１４ｅよりも僅かに下方に位置していることで、収容棚１４が完全に目隠しされており、見栄えの向上が図られている。この状態において定荷重ばね機構４１のコンストンバネ４４がドラム４３に巻き戻された状態になっている。収容棚１４内に例えばトイレットペーパ等のトイレット用品を収納する場合、使用者が下降スイッチ５０を押すとギヤードモータ３２が回転して収納棚１４を下降させる。
【００３６】
そして、収容棚１４の下降に伴い定荷重ばね機構４１のコンストンバネ４４がばね力（トルク）に抗してドラム４３から引き出される。コンストンバネ４４は、ドラム４３から引き出されるときに収容棚１４の下降を抑制する制動力として作用し、当該収容棚１４が急激に下降することを防止すると共に、ギヤードモータ３２が故障したような場合に収容棚１４が急下降することを防止することができる。
【００３７】
収容棚１４が下限位置まで下降すると、ドグ４５がリミットスイッチ４７に接触して当該リミットスイッチ４７が作動する。これにより、ギヤードモータ３２が停止し、収容棚１４が図６及び図７に示す下限位置に停止する。収容棚１４は、図７に示すように複数の棚が設けられており、トイレットペーパや清掃用品等のトイレ用品を収容可能とされている。
【００３８】
使用者が収容棚１４に例えばトイレットペーパ等を収納した後上昇スイッチ４９を押すとギヤードモータ３２が回転して当該収容棚１４が上昇を始める。昇降機構３１は、一度上昇スイッチ４９を押すと自動的に収容棚１４が上昇する構成とされているため、収容棚１４に片方の手を掛けたまま誤って他方の手で上昇スイッチ４９を押して片方の手が前板１２と収容棚１４との間に挟まれる所謂手挟みが生じるおそれがある。また、収容棚１４の上昇中に目を離す可能性が高く、前板１２と収容棚１４との間に収容物を挟むおそれが高い。
【００３９】
特にトイレ等の狭い場所に設置されている場合、図１及び図２に示すように昇降式収容棚１１が便器５の後方の後壁２に設置されているために便器５の手前から身を乗り出すような姿勢で収容棚１４にトイレットペーパ等を収納するようになる。このため、収容棚１４に手を掛けた状態で収納を行う場合が多く、前板１２と収容棚１４との間に手や指を挟み易い状況にある。
【００４０】
そして、使用者が、例えば収容棚１４に片方の手を掛けたまま誤って他方の手で上昇スイッチ４９を押して図８に示すように片方の手が前板１２と収容棚１４との間に挟まれる所謂手挟みが生じた場合、逃し手段５５が前板１２と収容棚１４の前面１４ｄとの間の隙間を広げる方向（手前側）に矢印で示すように前板１２を逃がす。これにより、使用者は、挟まれた手や指先等を容易に引き出すことができる。使用者が手挟みに気が付いたときに電源スイッチ５１を押すとギヤードモータ３２が停止し、収容棚１４が当該位置に停止する。尚、この場合必ずしも電源スイッチ５１を押して収容棚１４を停止させる必要はない。
【００４１】
また、収容棚１４の上昇中に図９に示すように収容棚１４に収納した例えばトイレットペーパ収納袋７０が倒れて前板１２と収容棚１４との間に挟まれた場合、逃し手段５５が前板１２と収容棚１４の前面１４ｄとの間の隙間を広げる方向に前板１２を逃がす。これにより、トイレットペーパの潰れや変形等が防止される。そして、使用者が、トイレットペーパ収納袋７０が挟まれたことに気が付いて電源スイッチ５１を押すとギヤードモータ３２が停止し、収容棚１４が当該位置に停止する。これにより、ギヤードモータ３２の過負荷が防止される。トイレットペーパ収納袋７０等が挟まれて収容棚１４を停止させた場合、使用者が前板１２を手前側に開けて収容棚１４内に押し込んで納めることができる。また、この停止位置では巧く収容棚１４内に納めることができない場合には、下降スイッチ５０を押して収容棚１４を下限位置まで下降させて収納し直した後再び上昇スイッチ４９を押せば良い。
【００４２】
収容棚１４が上限位置まで上昇してドグ４５がリミットスイッチ４６を作動させると、ギヤードモータ３２が停止し、収容棚１４が当該上限位置に停止保持される。定荷重ばね機構４１のコンストンバネ４４は、収容棚１４の上昇に伴いドラム４３に巻き戻り、このときのばね力（トルク）が収容棚１４を引き上げる作用をする。即ちコンストンバネ４４は、収容棚１４の上昇時の荷重を軽減し、これにより、ギヤードモータ３２の負荷が軽減される。
【００４３】
図１０乃至図１２は、前板１２の支持構造の変形例を示す。図１０は、支持体１３の前面１３ａを上端１３ｂから下端１３ｃに向かって前方に僅かに突き出すテーパ状に形成したもので、前板１２をこのテーパ状の前面１３ａに当接させるようにして図示しないヒンジで支持するようにしたものである。
【００４４】
また、図１１は、ヒンジ５６の取付部５６ｃを前板１２の裏面に固定するＬ形ブラケット６４の取付部６４ａをヒンジ５６の取付部５６ｃに固定し、前板１２側の取付部６４ｂを折曲部から下方にかつ前側に向かってテーパ状に傾斜する略楔状に形成して、前板１２を支持体１３の垂直な前面１３ａ’に対して上端から下端に向かって前方に僅かに突き出すように支持するようにしたものである。
【００４５】
また、図１２は、前板閉じ手段６のマグネット６２を、上端から下端に向かってテーパ状に前方に僅かに突き出す楔状の取付部材６５を介して前板１２の裏面に固定して、前板１２を支持体１３の前面１３ａ’に対して上端から下端に向かって前方に僅かに突き出すように支持するようにしたものである。
【００４６】
図１０乃至図１２に示すように前板１２を支持体１３の前面１３ａ，１３ａ’に対して上端から下端に向かって前方に僅かに突き出すように支持することにより、前板１２の下端部１２ｂを、図４及び図１２に示すヒンジ５６の回転軸５６ａよりもテーパ角分だけ更に前方に位置するように構成することができ、収容棚１４の下方からの上昇に際してこの収容棚１４の前面１４ｄとの間で手挟みが生じたときにこの収容棚１４の前面１４ｄとの間の隙間を広げる方向に前板１２をより逃がし易くする。
【００４７】
また、支持体１３を前方（使用者の方向）へ延ばして前板１２と収容棚１４の前面１４ｄとの間の隙間を広くするようにしても良く、或いは収容棚１４の一部、例えば使用者が手を掛け易い下板１４ｂの中央部等に切欠を設けて前板１２と収容棚１４の前面１４ｄとの間の隙間を広くするようにしても良い。
【００４８】
また、前板１２と支持体１３との間に前板１２の開きを抑制する前板開き抑制機構を設けても良い。この前板開き抑制機構として、例えば図１４に示すような構成の前板開き抑制機構６６が考えられる。図１３（ａ）は、前板１２の裏面と支持体１３の上部との間に鎖６７を取り付けて前板１２が開き過ぎることを防止するようにしたものである。図１３（ｂ）は、前板１２の裏面と支持体１３の上部との間にコイルスプリング６８を取り付けて前板１２を閉じる方向に付勢して開き過ぎることを防止するようにしたものである。また、図１３（ｃ）は、前板１２の裏面と支持体１３の上部との間にリンク６９を取り付けたものである。
【００４９】
前面が開口した収容棚を、昇降機構により所定の上限位置と下限位置との間で昇降させ、収容棚とは独立して支持され前記収容棚の上限位置で当該収容棚の前面を覆う前板を逃し手段により収容棚の下方からの上昇に際して当該収容棚の前面との間で手挟みが生じたときに当該収容棚の前面との間の隙間を広げる方向に前記前板を逃がす。
【００５０】
これにより、収容棚の下方からの上昇に際して収容棚に片方の手を掛けたまま誤って他方の手で上昇スイッチを押して前記片方の手が前板と収容棚との間に挟まれたとき、逃し手段により前板を収容棚の前面との間の隙間を広げる方向に逃がすことができ、使用者は、挟まれた手や指先等を容易に引き抜くことができる。
【００５１】
特にトイレ等の狭い場所においては多くの場合、昇降式収容棚は、便器後方の壁に設置されるために便器の手前から身を乗り出すような姿勢で収容棚にトイレットペーパ等を収容するようになり、収容棚に手を掛けた状態で収納を行う場合が多く、前板と収容棚との間に手や指を挟み易い状況にある。従って、このような環境に置いては極めて有効である。
【００５２】
また、逃し手段をヒンジとし、前板の上部裏面と収容棚の背面の壁から突出し前板を支持する片持梁状の支持体の上端とを連結し、かつヒンジの回転中心を収容棚の前面よりも後方に位置して配置する。これにより、前板の下端と収容棚との間に手挟みが生じたときに前板が手前側に逃げやすくなり、使用者が容易に手や指先を引き出すことが可能となる。
【００５３】
また、前板と支持体との間には手挟みが生じたときに逃し手段によって収容棚と前板との間を広げることが可能な程度の保持力で前記前板を閉じる前板閉じ手段を備えている。前板は、前板閉じ手段により揺動が抑えられて常時収容棚を覆う位置に保持されている。そして、この保持力は、前板と収容棚との間で手挟みが生じたときに収容棚と前板との間を広げることが可能な程度とされている。これにより、手挟みが生じたときに前板を手前側に逃げさせて収容棚と前板との間を広げ、使用者が容易に手挟みを解消することが可能となる。
【００５４】
尚、上記実施形態においては昇降式収容棚をトイレに設置してトイレットペーパ等のトイレ用品を収納する場合について記述したが、これに限るものではなく他の、例えば台所に設置して食器等を収納するようにしても良く、或いは書斎や居間等に設置して、例えば書籍やビデオテープ、ビデオディスク等を収容するようにしても良い。また、玄関に設置して季節に応じて冬用の靴と夏用の靴を交互に保管するのに用いても良い。
【図面の簡単な説明】
【００５５】
【図１】本発明の一実施形態に係る昇降式収容棚をトイレの後壁に設置した場合の正面図である。
【図２】図１に示したトイレの側面図である。
【図３】図１に示した昇降式収容棚の前板及び収容棚を透視的に描いて収容棚の後方に配置されている各機構を示した説明図である。
【図４】図３に示した昇降式収容棚の矢線IV―IVに沿う断面図である。
【図５】図４に示した前板の下端部形状の一例を示す説明図である。
【図６】図２に示した昇降式収容棚の収容棚を下限位置まで下降させた状態の説明図である。
【図７】図６に示した収容棚の正面図である。
【図８】図７に示した収容棚を下方から上昇させる際に使用者が手挟みした状態の説明図である。
【図９】図７に示した収容棚を下方から上昇させる際に収容棚に収納した収納物が飛び出して前板との間に挟まれた状態の説明図である。
【図１０】図４に示した前板を支持体に支持する支持部の変形例を示す要部説明図である。
【図１１】図４に示した前板を支持体に支持する支持部の変形例を示す要部説明図である。
【図１２】図４に示した前板を支持体に支持する支持部の変形例を示す要部説明図である。
【図１３】図４に示した前板と支持体との間に前板の開きを抑制する前板開き抑制機構の一例を示す説明図である。
【符号の説明】
【００５６】
１    トイレ
２    後壁
３    側壁
４    前壁
５    便器
６    照明灯
７    局所洗浄便座の操作部
８    トイレットペーパ
９    手洗い器
１１    昇降式収容棚
１２    前板
１２ａ    上端部
１２ｂ    下端部
１２ｃ    裏面
１２ｄ，１２ｅ，１２ｆ，１２ｇ    下端部の面取部
１３    支持体
１３ａ，１３ａ’    前面
１３ｂ    上端部
１３ｃ    下端部
１４    収容棚
１４ａ    上板
１４ｂ    下板
１４ｃ    裏板
１４ｄ    前面
１４ｅ    下面
１５    上梁
１６    下梁
１７    側板
１８    前板
１９    裏板
２１，２２    フレーム
２３    スライドレール
２４    スライダ
２５    ガイド
２６    支持フレーム
２７    支持部材
２８    ガイド板
２８ａ    下端部
３１    昇降機構
３２    ギヤードモータ
３３，３４    歯付プーリ
３５    歯付ベルト
４１    定荷重ばね機構
４２    ブラケット
４３    ドラム
４４    コンストンバネ
４５    ドグ
４６，４７    リミットスイッチ（位置検出器）
４８    操作部
４９    上昇スイッチ
５０    下降スイッチ
５１    電源スイッチ
５３    コントローラ
５５    逃し手段
５６    ヒンジ
５６ａ    回転軸（回転中心）
５６ｂ，５６ｃ    取付部
５７，５８    ブラケット
６１    前板閉じ手段
６２    マグネット
６３    マグネットキャッチ
６４    Ｌ形ブラケット
６４ａ，６４ｂ    取付部
６５    取付部材
６６    前板開き抑制機構
６７    鎖
６８    コイルスプリング
６９    リンク
７０    トイレットペーパ収納袋
ｄ    ヒンジの回転軸（回転中心）と収容棚の前面からの距離
【図１】
2008228917.tif 000003
【図２】
2008228917.tif 000004
【図３】
2008228917.tif 000005
【図４】
2008228917.tif 000006
【図５】
2008228917.tif 000007
【図６】
2008228917.tif 000008
【図７】
2008228917.tif 000009
【図８】
2008228917.tif 000010
【図９】
2008228917.tif 000011
【図１０】
2008228917.tif 000012
【図１１】
2008228917.tif 000013
【図１２】
2008228917.tif 000014
【図１３】
2008228917.tif 000015